(57)【要約】【課題】安価に製作でき持ち運びが容易であり、且つ、迅速，簡便，正確に腹筋の筋力を測定できる装置を提供する。【解決手段】下方への力を測定する測定具１と、該測定具を支持するL字状の支持フレーム２と、支持フレーム２の後方左右両側部から支持板３，３を介して延出された支持棒材４，４に支持されて吊下されたパッド５，５と、支持フレーム２の後方立上り面に昇降自在にガイドブロック６，６にて支持され、上方へ延出させた腕掛けハンドル７と連動し下方部前方へ突き出した作動棒８，８で測定具１を作動させる作動機構９とを有する腹筋力測定器具で、前記パッド５，５を大腿部に載置し、腕掛けハンドル７に両腕部を掛けて腹筋力で押し下げるようにして測定する。【選択図】図１
0003125518.tif 000002
【実用新案登録請求の範囲】
【請求項１】
下方への力を測定する測定具と、該測定具を支持するL字状の支持フレームと、支持フレームの後方左右両側部から支持板を介して延出された支持棒材に支持されて吊下されたパッドと、支持フレームの後方立上り面に昇降自在にガイドブロックにて支持され、上方へ延出させた腕掛けハンドルと連動し下方部前方へ突き出した作動棒で測定具を作動させる作動機構とを有することを特徴とする、腹筋力測定器具。
【請求項２】
支持棒材に支持されて吊下されたパッドが、左右位置，高さ位置，パッド角度の全てまたはいずれか一つ以上を調整可能にして設けられていることを特徴とする、請求項１に記載の腹筋力測定器具。
【請求項３】
腕掛けハンドルが、高さ位置を調整して設定可能に構成されてなることを特徴とする、請求項１または請求項２に記載の腹筋力測定器具。
【考案の詳細な説明】
【技術分野】
【０００１】
本考案は、腹筋の筋力を測定する測定器に関する。
【背景技術】
【０００２】
体力テストや運動生理学分野の研究などにおいて、身体各部の筋力を知ることは、被験者の身体の発達や、筋肉の構造や機能，筋肉疲労などを議論する上で重要である。握力計や筋力計によって身体各部の筋力を測定できることは一般に知られているが、腹筋の筋力（以下、腹筋力と称する）を正確に測定できる手段は少ない。
【０００３】
体力テストにおいては、被験者に仰臥姿勢を取らせ、所定時間内の上体起こしの回数を数えることで、腹筋力を見積もる。しかし、この方法では、厳密には持久力の情報しか得られず、被験者の体重の影響も受ける。また、腹筋以外に大腿部など他部位の筋肉も使われるため、腹筋だけに着目した測定ができるとは言えない。腹筋力を正確に測定するには、他部位の筋肉が関与しない状況下で、一回の測定によって最大随意筋力を直接測定することが好ましい。
【０００４】
腹筋や背筋等の体幹部の筋力を正確に測定し、数値で示すようにした筋力測定装置が開示されている（例えば、特許文献１参照）。該特許文献１に記載される技術は、データ処理機で制御するダイナモメーターを収納して所定の高さで入力軸の向きを変更可能に固定支持した駆動部を前部中央に固定し、その左右両側に一対の着座部を配置してなる測定器本体と、前記駆動部と着脱可能に連結するアーム回転軸で枠体に体幹固定部を揺動自在に支持し、該体幹固定部はシート，膝当てパッド，胸当てパッド，グリップ，背当てパッド及びフットレストを備えた体幹測定用ベンチとからなることを特徴としている。
【０００５】
【特許文献１】実開平６−１３８５７号公報
【考案の開示】
【考案が解決しようとする課題】
【０００６】
しかしながら、上記特許文献１に記載される技術は、腹筋や背筋を正確に測定できるようにはしてあるが、構造が複雑且つ大掛かりで安価にできないこと，持ち運びできないこと，及び使用が複雑で迅速に測定できないなどの問題点があり、本考案はこれらの問題点を解決することを課題とする。
【課題を解決するための手段】
【０００７】
上記課題を解決するために、本考案の請求項１記載の筋力測定器具は、下方への力を測定する測定具と、該測定具を支持するL字状の支持フレームと、支持フレームの後方左右両側部から支持板を介して延出された支持棒材に支持されて吊下されたパッドと、支持フレームの後方立上り面に昇降自在にガイドブロックにて支持され、上方へ延出させた腕掛けハンドルと連動し下方部前方へ突き出した作動棒で測定具を作動させる作動機構とを有することを特徴としている。
【０００８】
請求項２に記載の考案は、請求項１に記載の筋力測定器具であって、支持棒材に支持されて吊下されたパッドが、左右位置，高さ位置，パッド角度の全てまたはいずれか一つ以上を調整可能にして設けられていることを特徴としている。
【０００９】
請求項３に記載の考案は、腕掛けハンドルが、高さ位置を調整して設定可に構成されてなることを特徴とする、請求項１または請求項２に記載の筋力測定器具である。
【００１０】
そして、前記パッドを両脚の大腿部に載置し、腕掛けハンドルに両腕部を掛けて、腹筋力で腕掛けハンドルを下方へ押し下げるようにして腹筋力を測定する。
【考案の効果】
【００１１】
本考案の筋力測定器具は、腹筋に負荷を与えたり腹筋力を測定したりするのに大掛かりな装置を使用せず、機械的に腹筋力を測定するシンプルな原理に基づいているから、構造が複雑でなく、安価に製作することが可能である。
【００１２】
また、大腿部に載置して測定するように構成されたもので、小形軽量であり、そのため、可搬性があり、どこでも持ち運びできる。使用に際しても、大掛かりな装置と連動させる必要も無く、据付面積を要しない。
【００１３】
腹筋力の測定に際しては、単純な一回の操作で、被験者の持久力や体重とは無関係に、筋力を直接測定できる。また、大腿部の筋肉の関与を排し、腹筋のみの筋力を測定するから、迅速，簡便，正確な、腹筋力の測定が可能である。
【００１４】
パッドの左右位置，高さ位置，パッド角度の全てまたはいずれか一つ以上を任意に調整可能にして設置することで、被験者の両脚大腿部間の幅，大腿部の太さ等の個人差や、測定姿勢による誤差を排し、より正確な測定が可能となる。
【００１５】
腕掛けハンドルの高さを任意に調整して設定可とすることにより、被験者の座高に合わせたハンドルの高さを設定できる。これにより、更に正確な測定が可能となる。
【考案を実施するための最良の形態】
【００１６】
以下に、本考案を実施するための最良の形態を、実施例を示す図面を参照して詳細に説明する。尚、本実施例に、本考案は限定されるものではない。
【実施例１】
【００１７】
図１は、実施例１の腹筋力計の全体斜視図である。図２は、実施例１の腹筋力計の側断面図である。
【００１８】
本考案に係る腹筋力測定器は、図１及び図２に示す様に、力を測定する測定具１と、該測定具を支持するL字状の支持フレーム２と、支持フレーム２の後方左右両側部から支持板３，３を介して延出された支持棒材４，４に支持されて吊下されたパッド５，５と、支持フレーム２の後方立上り面に昇降自在にガイドブロック６，６にて支持され、上方へ延出させた腕掛けハンドル７と、腕掛けハンドルを腹部の筋力に力を入れながら押し下げ、下方部前方へ突き出した作動棒８，８で測定具１を作動させる作動機構９とを有する。
【００１９】
測定具１は、作動部１ａが下方へ押し下げられるのに連動して指針１ｂを作動させ、目盛盤１ｃの目盛表示を読み取るようにしたものである。作動部１ａは測定具１本体に対して上下に移動可能に取り付けられており、下方へ向けた力を受けると、その力に比例した角度で指針１ｂが動く。目盛盤１ｃには、円弧状で同一間隔の目盛が表示されている。測定具１は、既製の握力計から掌に触れる部分を切断して除いた物を用いても良い。
【００２０】
支持フレーム２は金属板をＬ字状に曲げたもので、測定具１が意図せず動くことによって測定の妨げとなることを防ぐため、底面部分が測定具１に接合され、更に立上り部分は支持ボルト１５を介して測定具１と結合されている。
【００２１】
支持フレーム２の後方左右には、支持棒材２ａを介して支持板３，３が取付けられている。支持板３の上端部より支持棒材４，４が左右両方に延出されて取り付け固定されていて、取付部材１０，１０の下方に自在接手１１，１１を介してパッド５，５が取付けられている。
【００２２】
パッド５，５は、被験者の大腿部に載置できるよう、円弧状に曲げられた当て板である。測定時に被験者が擦過傷を負わぬよう、パッド５の下面には、ゴムまたは布等の材質からなる緩衝材を取り付けるのが望ましい。
【００２３】
取付部材１０，１０は、ドーナツ状の形状で、下部にメス螺子構造を有し、支持棒材４，４に移動可能に取付けられ、ストッパー１３，１３を緩めることにより左右位置や前後方向の角度が調整でき、締めることで固定される。両脚大腿部間の幅や測定時の姿勢には個人差があるが、取付部材１０，１０の位置調整によりパッド５，５の左右位置及び前後方向の角度が調整でき、上記個人差に対応することが可能である。
【００２４】
取付部材１０，１０下部のメス螺子は、その下方に取り付けられた自在接手１１，１１のオス螺子と、止めナット１４，１４で固定される。止めナット１４，１４を緩めて、パッド５，５の高さを調整することが可能である。着座姿勢を取った際、被験者の両脚大腿部の高さは必ずしも左右同一ではないが、止めナット１４，１４を緩めて高さ調整し締め付けて止めることで、左右のパッドの高さを調整し、本考案を測定に適した位置に載置できる。
【００２５】
自在接手１１，１１は、パッド５，５の各々上部に取り付けられており、止めナット１４，１４を用いて、取付部材１０，１０に取り付けられているから、この自在接手１１，１１によって、パッド５，５の角度を任意に調整することも可能である。測定時に、被験者の姿勢に合わせてパッド５，５の角度を調整し、腹筋力測定に適した位置を保つことが可能である。
【００２６】
作動機構９は、内部に円筒形の支持パイプ１６を持つ、直方体状構造を有している。支持フレーム２の立上り部分と調整座１７を介して結合されたガイドブロック６，６に、作動機構９の背部は摺動自在に嵌合されている。本実施例では、ガイドブロック６，６と作動機構９の背部とはアリ溝嵌合で摺動自在としているが、必ずしもアリ溝嵌合に限定されるものではなく、同様に摺動自在に昇降する機構であれば良い。ガイドブロック６，６から作動機構が抜けることの無いよう、ガイドブロック６，６の上端部付近に、抜け止めストッパー１８が設けられている。
【００２７】
作動機構９中の支持パイプには円柱形の棒材７ａが挿入されており、該棒材の上部には、腕掛けハンドル７が取り付けられている。本実施例では、棒材７ａと腕掛けハンドル７との接合には、蝶番式開閉機構を持つ取付金具７ｂを用いているが、同様に結合固定できるものであれば良く、蝶番式開閉機構に限定されるものではない。ストッパー１２はＴ字型構造の金属棒で、その先端部のオス螺子部分は、作動機構９のメス螺子と接続され、緩めることにより棒材７ａは挿入自在で、締め付けて止めナット１２ａで止めて固定される。したがって、腕掛けハンドル７の高さ位置は、ストッパー１２を緩めると任意調整でき、締付けることにより固定される。ストッパー１２で固定することによって、作動機構９は、腕掛けハンドル７に連動して上下に動く。
【００２８】
作動機構９の下端部には左右一対の円柱状の作動棒８，８が、前方へ延出させて取付けられており、作動機構９と共に上下動し、測定具１の作動部１ａを押し下げるよう配置されている。作動機構９に対して下方への力が加えられていない時には測定具１の示度が０を示し、且つ僅かでも力が加えられると測定具１の示度が変わるよう、作動棒８と測定具１の作動部１ａとの相対位置は調整されている。
【実施例２】
【００２９】
次いで、本考案の筋力測定器具の使用例を、図３に基づいて説明する。
【００３０】
被験者は、長座位の姿勢から軽く膝を曲げ、本考案の筋力測定器を、パッド５，５を介して両脚大腿部に載置する。この際、ストッパー１３，１３を緩め、パッド５，５が被験者の両大腿部に負担無く載るよう左右位置を調整し、再度ストッパー１３，１３を締めて止める。被験者の左右大腿部の太さが極端に違う場合など、左右のパッド５，５の高さが異なる方がより正確な測定が可能と判断される場合には、止めナット１４，１４を緩めてパッド５，５の高さを調整し、締めて固定する。併せて、被験者が必要以上の負荷を感じずに測定できるよう、自在接手で接続したパッド５，５の角度を調整する。
【００３１】
次いで、ストッパー１２を緩め、腕掛けハンドル７の高さが丁度被験者の腋下の高さと等しくなるよう調整し、その後再度ストッパー１２を締め、止めナット１２ａで止めて固定する。
【００３２】
腕掛けハンドル７に両腋を載せる要領で本考案の器具に両腕部を掛け、指針１ｂが０を示していることを確認した後、被験者は腹筋に力を入れ、腕掛けハンドル７を押し下げる。その後、指針１ｂの指す目盛盤１ｃの目盛数値を読む。
【００３３】
以上一連の操作によって、被験者の腹筋力測定を行う。
【図面の簡単な説明】
【００３４】
【図１】本考案の実施例を示す斜視図である。
【図２】本考案の実施例を示す側断面図である。
【図３】本考案の使用例を示す斜視図である。
【符号の説明】
【００３５】
１  測定具
１ａ  作動部
１ｂ  指針
１ｃ  目盛盤
２  支持フレーム
２ａ，４  支持棒材
３  支持板
５  パッド
６  ガイドブロック
７  腕掛けハンドル
７ａ  棒材
７ｂ  取付金具
８  作動棒
９  作動機構
１０  取付部材
１１  自在接手
１２，１３  ストッパー
１２ａ，１４  止めナット
１５  支持ボルト
１６  支持パイプ
１７  調整座
１８  抜け止めストッパー
【図１】
0003125518.tif 000003
【図２】
0003125518.tif 000004
【図３】
0003125518.tif 000005